(57)【要約】【課題】多数の人が参加しているイベントの開催エリアにおいて、自分が望む条件に合致する人に出会うことを支援するマッチングシステムを提供する。【解決手段】マッチングシステムを、管理サーバと、管理サーバと通信ネットワークを介して通信可能であると共に近距離通信のための電波受信機を備え、イベントの参加者が携帯する携帯情報端末と、近距離通信のための電波発信機として参加者が携帯する携帯電波発信機とを具備する構成とする。携帯情報端末は、電波発信機のＩＤを含む電波を受信したとき、その発信機ＩＤを自身の携帯情報端末のＩＤと共に管理サーバに送信し、管理サーバは携帯端末ＩＤと関連付けられた希望条件情報と、発信機ＩＤと関連付けられたプロフィール情報とを対比してマッチングレベルを算出し、その結果を少なくとも一方の参加者の携帯情報端末に通知する。【選択図】図１
2016076078.tif 000002
【特許請求の範囲】
【請求項１】
イベントの開催者側が管理する管理サーバと、
該管理サーバと通信ネットワークを介して通信可能であると共に、近距離通信のための電波を受信可能な電波受信機を備えており、前記イベントの参加者が携帯する携帯情報端末と、
近距離通信のための電波を発信する電波発信機として、前記参加者が携帯する携帯電波発信機とを具備し、
前記携帯情報端末は、
前記参加者の入力に基づき、その参加者自身に関するプロフィール情報、及び、出会いの相手に対して望む希望条件情報を前記管理サーバに送信し、
前記電波受信機が前記電波発信機の識別コードである発信機ＩＤを含む電波を受信したとき、受信した発信機ＩＤを自身の前記携帯情報端末の識別コードである携帯端末ＩＤと共に前記管理サーバに送信し、
前記管理サーバは、
前記参加者ごとに、携帯する前記携帯情報端末の前記携帯端末ＩＤと、携帯する前記携帯電波発信機の前記発信機ＩＤとを関連付けて記憶すると共に、前記携帯情報端末から送信された前記プロフィール情報及び前記希望条件情報を、前記携帯端末ＩＤと関連付けて記憶し、
ある参加者が他の参加者と近接した際にそれぞれの前記携帯情報端末から送信された、自身の前記携帯端末ＩＤと相手の前記発信機ＩＤを受信すると、それぞれの前記携帯端末ＩＤと関連付けられた前記希望条件情報と、相手の前記発信機ＩＤと関連付けられた前記プロフィール情報とを対比し、前記希望条件情報を前記プロフィール情報が満たす程度としてのマッチングレベルをそれぞれ算出し、算出された該マッチングレベルの少なくとも一方が予め定めた所定値以上である場合は、少なくとも一方の参加者の前記携帯情報端末に、前記マッチングレベルが所定値以上と判定された相手が近距離に位置していることを通知する
ことを特徴とするマッチングシステム。
【請求項２】
前記電波発信機として、前記イベントの開催エリア内に固定された固定電波発信機を更に具備する
ことを特徴とする請求項１に記載のマッチングシステム。
【請求項３】
前記管理サーバは、
前記マッチングレベルが所定値以上と判定された前記携帯端末ＩＤと前記発信機ＩＤの組合せを、判定結果データベースに記憶し、
前記携帯情報端末から前記管理サーバに自身の前記携帯端末ＩＤと共に送信された前記発信機ＩＤが、前記固定電波発信機の識別コードである場合、前記携帯端末ＩＤと前記発信機ＩＤを受信した時刻を前記携帯端末ＩＤと関連付けて固定点時刻データベースに記憶し、
所定の時間の経過ごとに、前記固定点時刻データベース及び前記判定結果データベースを参照し、新たに前記固定点時刻データベースに記憶された前記携帯端末ＩＤの中に、前記マッチングレベルが所定値以上と判定された組合せが存在するか否かを判断する
ことを特徴とする請求項２に記載のマッチングシステム。
【発明の詳細な説明】
【技術分野】
【０００１】
本発明は、多数の人の中から自分が望む条件に合致する人に出会うことを支援するマッチングシステムに関するものである。
【背景技術】
【０００２】
面識のない人が多数参加し、顔を合わせて会話することなどを通して新たな人間関係を構築するためのイベントが種々催されている。例えば、男女の出会いの創出と共に地域の活性化を目的とする「街コン」では、多数の男女がその地域の複数の店舗や観光施設等を巡りながら、気の合う相手を探し親睦を図る。また、異業種の人が情報交換をしながら新たなビジネス相手を探すことを目的とするパーティなども、多く開催されている。
【０００３】
このようなイベントでは、互いに顔を合わせて相手の人となりに触れることができる利点があるが、自分が望む条件に合致している相手であるかどうかは、ある程度の時間、会話を交わした後でなければ分からない。そのため、イベント会場（イベントの開催エリア）内をそれぞれ思い思いの方向に移動している多数の人の中から、自分の望む条件に合致している人を、限られた時間内に見つけることは、なかなか難しいのが実情である。
【発明の概要】
【発明が解決しようとする課題】
【０００４】
そこで、本発明は、上記の実情に鑑み、多数の人が参加しているイベントの開催エリアにおいて、自分が望む条件に合致する人に出会うことを支援するマッチングシステムの提供を、課題とするものである。
【課題を解決するための手段】
【０００５】
上記の課題を解決するため、本発明にかかるマッチングシステムは、
「イベントの開催者側が管理する管理サーバと、
該管理サーバと通信ネットワークを介して通信可能であると共に、近距離通信のための電波を受信可能な電波受信機を備えており、前記イベントの参加者が携帯する携帯情報端末と、
近距離通信のための電波を発信する電波発信機として、前記参加者が携帯する携帯電波発信機とを具備し、
前記携帯情報端末は、
前記参加者の入力に基づき、その参加者自身に関するプロフィール情報、及び、出会いの相手に対して望む希望条件情報を前記管理サーバに送信し、
前記電波受信機が前記電波発信機の識別コードである発信機ＩＤを含む電波を受信したとき、受信した発信機ＩＤを自身の前記携帯情報端末の識別コードである携帯端末ＩＤと共に前記管理サーバに送信し、
前記管理サーバは、
前記参加者ごとに、携帯する前記携帯情報端末の前記携帯端末ＩＤと、携帯する前記携帯電波発信機の前記発信機ＩＤとを関連付けて記憶すると共に、前記携帯情報端末から送信された前記プロフィール情報及び前記希望条件情報を、前記携帯端末ＩＤと関連付けて記憶し、
ある参加者が他の参加者と近接した際にそれぞれの前記携帯情報端末から送信された、自身の前記携帯端末ＩＤと相手の前記発信機ＩＤを受信すると、それぞれの前記携帯端末ＩＤと関連付けられた前記希望条件情報と、相手の前記発信機ＩＤと関連付けられた前記プロフィール情報とを対比し、前記希望条件情報を前記プロフィール情報が満たす程度としてのマッチングレベルをそれぞれ算出し、算出された該マッチングレベルの少なくとも一方が予め定めた所定値以上である場合は、少なくとも一方の参加者の前記携帯情報端末に、前記マッチングレベルが所定値以上と判定された相手が近距離に位置していることを通知する」ものである。
【０００６】
上記構成のマッチングシステムでは、イベントの開始時またはイベントの開始に先立ち、自身のプロフィール情報と自分が相手に望む希望条件情報を管理サーバに送信しておくだけで、イベントの最中に自分の近くにいる参加者とのマッチング処理が行われ、マッチングレベルが通知される。これにより、実際に顔を合わせて会話を交わす前に、その人が自分の希望条件情報に合致する人であるかの情報や、マッチングの度合いがどの程度であるかの情報を、得ることができる。従って、本構成のマッチングシステムによれば、多数の人が参加しているイベントの開催エリアにおいて、限られた時間内に、自分の望む条件に合致する人に出会うことが容易となる。
【０００７】
なお、「携帯情報端末」としては、スマートフォンなど電話機能付きの携帯情報端末や、タブレット式の携帯情報端末を使用可能である。
【０００８】
また、人物Ａと人物Ｂが近接したとき、Ａに対するＢのマッチングレベル（Ａの希望条件情報にＢのプロフィール情報が合致している程度）と、Ｂに対するＡのマッチングレベル（Ｂの希望条件情報にＡのプロフィール情報が合致している程度）の両方を算出することができる。この場合、管理サーバから携帯情報端末に行われる判定結果の通知は、双方のマッチングレベルが共に所定値以上と判定された場合のみに行うものであっても、一方のマッチングレベルのみが所定値以上と判定された場合も含めて行われるものであっても良い。相手が自分の望む条件に合致していなくても、自分が相手にとって望ましいと判定された場合は、実際に会って会話をしてみたいと考える人もいるからである。
【０００９】
加えて、判定結果の通知は、マッチング処理がなされた参加者の双方の携帯情報端末に対して行われるものであっても、一方の参加者の携帯情報端末に対してのみ行われるものであっても良い。例えば、人物Ａにとって人物Ｂは望ましいが、人物Ｂにとって人物Ａは望ましくないと判定された場合、人物Ａに対してのみ判定結果が通知される構成とすることもできる。また、イベントが男女の出会いを創出する目的のものである場合、まず先に女性側の携帯情報端末に判定結果を通知することにより、男性側の携帯情報端末に判定結果を通知するか否かについて、女性の判断を優先する形式とすることができる。これにより、お互いに判定結果を知らされた後では、相手との実際の会話を断りたい場合であっても断りにくいと考える人が多いと予想される女性が、より参加し易いイベントとすることができる。
【００１０】
本発明にかかるマッチングシステムは、上記構成に加え、「前記電波発信機として、前記イベントの開催エリア内に固定された固定電波発信機を更に具備する」ものとすることができる。
【００１１】
本構成では、固定電波発信機を、参加者の現在位置を知る基準とすることができる。つまり、携帯情報端末が固定電波発信機の電波を受信したとき、受信した発信機ＩＤを携帯端末ＩＤと共に管理サーバに送信することにより、この携帯情報端末を携帯する参加者がその固定電波発信機の近くにいるという情報を、管理サーバが取得することができる。これにより、例えば、イベントの開催エリアに設置されたディスプレイ等に、イベントの開催エリアを模した地図を表示し、この地図上に、固定電波発信機の座標に基づいて参加者（携帯情報端末）の現在のおよその位置を表示することができる。従って、イベントの開催エリア内に、イベントの参加者とイベントの参加者ではない人が混在している場合など、イベントの参加者との間でマッチング処理を効率良く受けるには、開催エリアのどのあたりに移動すれば良いのかなどの情報を、参加者が得ることができる。
【００１２】
また、固定電波発信機を、宝探しゲームのための宝物と共に設置することも可能である。この場合は、携帯情報端末が固定電波発信機の電波を受信したとき、受信した発信機ＩＤを携帯端末ＩＤと共に管理サーバに送信することにより、この携帯情報端末を携帯する参加者が宝物の近くにいる（すなわち、宝物を発見した）という情報を、管理サーバが取得することができる。これにより、人と人とのマッチングのためのイベントで、宝探しゲームを楽しむことができ、より娯楽性が高いイベントとすることができる。また、マッチングの度合いが高かった二人の参加者が、一緒にゲームを楽しむことにより、より親密感を増すことができる。
【００１３】
本発明にかかるマッチングシステムは、上記構成に加え、
「前記管理サーバは、
前記マッチングレベルが所定値以上と判定された前記携帯端末ＩＤと前記発信機ＩＤの組合せを、判定結果データベースに記憶し、
前記携帯情報端末から前記管理サーバに自身の前記携帯端末ＩＤと共に送信された前記発信機ＩＤが、前記固定電波発信機の識別コードである場合、前記携帯端末ＩＤと前記発信機ＩＤを受信した時刻を前記携帯端末ＩＤと関連付けて固定点時刻データベースに記憶し、
所定の時間の経過ごとに、前記固定点時刻データベース及び前記判定結果データベースを参照し、新たに前記固定点時刻データベースに記憶された前記携帯端末ＩＤの中に、前記マッチングレベルが所定値以上と判定された組合せが存在するか否かを判断する」ものとすることができる。
【００１４】
本構成によれば、マッチング処理によってマッチングレベルが高いと判定され、その通知を受けた二人の参加者が、その後、ほぼ同時刻にほぼ同じ場所にいるという情報を、管理サーバが取得することができる。すなわち、マッチングレベルが高いと判定された二人の参加者が、マッチング処理における判定結果を有効に活用し、実際に顔を合わせ会話を交わすことによって良好な人間関係を築きつつあり、一緒に行動していると考えることができる。従って、マッチング処理による判定結果を参加者に通知するだけでは、その判定結果が実際に活かされたのかどうかが把握できないところ、本構成のマッチングシステムでは、判定後に判定結果が活用されたのかどうかの経過を、管理者側で把握することができる。
【発明の効果】
【００１５】
以上のように、本発明の効果として、多数の人が参加しているイベントの開催エリアにおいて、自分が望む条件に合致する人に出会うことを支援するマッチングシステムを、提供することができる。
【図面の簡単な説明】
【００１６】
【図１】本実施形態のマッチングシステムの構成図である。
【図２】携帯情報端末に表示される（ａ）プロフィール入力画面、及び、（ｂ）希望情報入力画面の説明図である。
【図３】判定用情報データベースの説明図である。
【図４】管理サーバにおける処理の流れを説明するフローチャートである。
【図５】図４に引き続き、管理サーバにおける処理の流れを説明するフローチャートである。
【図６】主に固定電波発信機を使用する処理の流れを説明するフローチャートである。
【図７】判定後の経過を把握する処理の流れを説明するフローチャートである。
【発明を実施するための形態】
【００１７】
以下、本発明の一実施形態であるマッチングシステム１について、図１乃至図７を用いて説明する。ここでは、イベントが「街コン」であり、多数の男女の参加者の中から、自分が望む条件に合致する異性に出会うことを支援するマッチングシステム１に、本発明を適用する場合を例示する。
【００１８】
本実施形態のマッチングシステム１は、イベントの開催者側が管理する管理サーバ１０と、イベントの参加者が携帯する携帯情報端末２０と、近距離通信のための電波を発信する電波発信機３０とを具備している。管理サーバ１０と携帯情報端末２０とは、通信ネットワーク９０としてのインターネットを介して通信可能である。電波発信機３０としては、携帯情報端末２０と共に各参加者が携帯する携帯電波発信機３１と、イベント開催エリア内の複数箇所に固定された固定電波発信機３２，３３ａ，３３ｂとを具備している。この固定電波発信機としては、参加者の現在位置の基準とする固定電波発信機３２と、宝探しゲームのための宝物と共に配置される固定電波発信機３３ａ，３３ｂとがある。
【００１９】
加えて、本実施形態のマッチングシステム１は、イベントの開催エリア内の処々に設置された複数の固定表示装置４１と、それぞれの固定表示装置４１に接続されていると共に、通信ネットワーク９０を介して管理サーバ１０と通信可能な表示管理装置４２とを具備している。
【００２０】
より詳細には、管理サーバ１０は、イベントの開催者、開催者から依頼を受けた事業者などイベントの開催者側の者が管理するサーバであり、ハード構成として、主記憶装置と補助記憶装置とからなる記憶装置、記憶装置に記憶されたプログラムに従って情報処理を行う中央処理装置、通信ネットワーク９０を介して情報の送受信を行う通信装置を主に具備しており、汎用のコンピュータで構成されている。
【００２１】
一方、携帯情報端末２０は、本実施形態ではスマートフォンを使用しており、ハード構成として、主記憶装置と補助記憶装置とからなる記憶装置、記憶装置に記憶されたプログラムに従って情報処理を行う中央処理装置、通信ネットワーク９０を介して情報の送受信を行うと共に音声通信を行う通信装置、液晶パネルを使用した表示装置に位置入力装置を組合せたタッチパネル、電波を受信する電波受信機、及び、カメラを備えている。本実施形態の電波受信機は、２．４５ＧＨｚの電波を受信するＢｌｕｅｔｏｏｔｈ（登録商標）機能を備えている。
【００２２】
電波発信機３０は、何れも２．４５ＧＨｚの電波を所定の時間間隔で発信するビーコンモジュールである。そのうち携帯電波発信機３１は、ネームプレート、参加者バッジなど、参加者の全員がそれぞれ携帯する物に取り付けられる。携帯電波発信機３１の電波の強度は、比較的短い距離（本実施形態では、約３ｍ）内の電波受信機で電波を受信できるように調整されている。一方、参加者の現在位置を知るための基準となる固定電波発信機３２は、イベント開催エリアの処々に分散して設置されており、電波の強度は比較的長い距離（本実施形態では、約１０ｍ）内の電波受信機で電波を受信できるように調整されている。これに対し、宝探しゲームのための宝物と共に配置される固定電波発信機３３ａ，３３ｂは、一つの宝物に対して二つが配置される。その一方は、比較的長い距離（本実施形態では、約１０ｍ）内の電波受信機で電波を受信できるように電波の強度が調整された固定電波発信機３３ａであり、他方は、短い距離（本実施形態では、約１ｍ）の内の電波受信機で電波を受信できるように電波の強度が調整された固定電波発信機３３ｂである。なお、宝物としては、例えばイベントキャラクターの像やぬいぐるみを使用することができ、簡単には目につかないように隠して配置されている。
【００２３】
固定表示装置４１としては、本実施形態では大型のディスプレイを使用している。また、表示管理装置４２としては、ハード構成として、主記憶装置と補助記憶装置からなる記憶装置と、記憶装置に記憶されたプログラムに従って情報処理を行う中央処理装置と、通信ネットワーク９０を介して情報の送受信を行う通信装置とを具備する、汎用のコンピュータを使用している。
【００２４】
次に、機能的構成について説明すると、管理サーバ１０は、携帯端末ＩＤと発信機ＩＤとを関連付けてＩＤデータベース６１に記憶するＩＤ登録手段５１と、携帯情報端末２０から送信されたプロフィール情報及び希望条件情報を、携帯端末ＩＤと関連付けて判定用情報データベース６３に記憶する判定用情報登録手段５２と、マッチング処理を行う判定手段５３と、固定電波発信機３２から発信された電波の受信に基づき参加者の位置情報を取得する位置情報登録手段５４と、固定電波発信機３３ｂから発信された電波の受信に基づきポイントを発行するポイント発行手段５５と、判定結果がその後有効に活用されているか否かに関する情報を取得する判定後経過把握手段５６と、通信ネットワーク９０を介する情報通信を制御する通信制御手段５７として、コンピュータを機能させるプログラムを備えている。
【００２５】
一方、携帯情報端末２０は、参加者自身に関するプロフィール情報、及び、出会いの相手に対して望む希望条件情報について、参加者の入力を受け付ける情報受付手段と、入力されたプロフィール情報及び希望条件情報を管理サーバ１０に送信する情報送信手段と、電波受信機３０が発信機ＩＤを受信したとき、その発信機ＩＤを自身の携帯情報端末２０の識別コードである携帯端末ＩＤと共に管理サーバ１０に送信するＩＤ送信手段と、管理サーバ１０から受信した第一通知または第二通知を表示画面に表示させる通知表示手段と、第一通知を受けた際の参加者の入力に基づき、相手側にも通知をすることの同意・非同意を示す信号を管理サーバ１０に送信する返信手段と、管理サーバ１０から通知された判定結果を記憶装置に記憶させると共に一覧表示させる判定結果管理手段として、マイクロコンピュータを機能させるプログラムを備えている。このプログラムは、イベントに対応させたアプリケーションソフトであり、このアプリケーションソフトが既にインストールされている携帯情報端末２０が参加者に貸与されるものとすることができる。或いは、イベントの開始に先立ち参加者が個人的に所有する携帯情報端末２０で、通信ネットワーク９０を介して管理サーバ１０にアクセスし、管理サーバ１０から携帯情報端末２０に当該アプリケーションソフトをダウンロードするものであっても良い。
【００２６】
また、携帯情報端末２０は、通常の電話機能付き携帯情報端末２０と同様に、通信ネットワーク９０を介しての情報通信を制御する情報通信手段と、音声通信を制御する音声通信手段として、マイクロコンピュータを機能させるプログラムを備えている。
【００２７】
更に、表示管理装置４２は、実世界の座標を固定表示装置４１の画面における二次元座標と対応させて、イベントの開催エリアを模した地図を固定表示装置４１の画面に表示させる地図表示手段として、コンピュータを機能させるプログラムを備えている。
【００２８】
次に、本実施形態のマッチングシステム１における処理の流れについて、説明する。本実施形態のマッチングシステム１では、「マッチング処理」、「宝探しゲームにおいてポイントを発行する処理」、「判定後の経過を把握する処理」、及び「参加者の現在位置を案内する処理」が行われる。何れの処理にも、携帯情報端末２０及び電波発信機３０をそれぞれ識別するための情報が必要である。そこで、イベントの開始に先立ち、管理者側でＩＤデータベース６１、及び固定発信機データベース６２を作成し、管理サーバ１０の記憶装置に記憶させておく。ここで、ＩＤデータベース６１は、参加者ごとに携帯情報端末２０の携帯端末ＩＤと携帯電波発信機３１の発信機ＩＤとを関連付けたものである。また、固定発信機データベース６２では、参加者の現在位置の基準とする固定電波発信機３２については、発信機ＩＤとその座標とが関連付けられており、宝探しゲームの宝物と共に配置される固定電波発信機３３ａ，３３ｂについては、一つの宝物について二つの固定電波発信機が、比較的遠い距離にある電波受信機で受信できる電波を発信する固定電波発信機３３ａと、近い距離にある電波受信機で受信できる電波を発信する固定電波発信機３３ｂとを、発信機ＩＤで区別できるように関連付けられている。
【００２９】
＜マッチング処理＞
イベントの開始に当たり、各参加者はプロフィール情報及び希望条件情報の登録を行う。具体的には、各自の携帯情報端末２０でイベント用のアプリケーションソフトを起動させると、タイトル画面が表示され、数秒後にイベント選択画面に表示が切り換えられる。イベント選択画面には、複数の街コンの開催日及び名称の選択ボタンが表示されており、自分が参加する街コンを選択すると、図２（ａ）に示すようなプロフィール入力画面が表示される。プロフィール入力画面では、氏名とその平仮名からなる基本情報、性別情報、及び、複数の対比項目からなるプロフィール情報を入力することができる。入力後に「送信」ボタンを操作することにより、基本情報、性別情報、及びプロフィール情報が、携帯情報端末２０から管理サーバ１０に送信される。また、プロフィール入力画面からは、参加者本人のプロフィール写真を管理サーバ１０に送信することができる。プロフィール写真の画像データとしては、携帯情報端末２０が備えるカメラで撮影することにより得た画像データや、外部から携帯情報端末２０に読み込んだ画像データを使用することができる。プロフィール入力画面から送信されるこれらの情報は、その携帯情報端末２０の携帯端末ＩＤと共に管理サーバ１０へ送信される。
【００３０】
プロフィール入力画面から管理サーバ１０への情報の送信が終了すると、図２（ｂ）に示すような希望情報入力画面が表示される。希望情報入力画面では、プロフィール情報の対比項目と同数の対比項目からなる希望条件情報を入力することができる。入力後に「送信」ボタンを操作することにより、希望条件情報が携帯端末ＩＤと共に管理サーバ１０へ送信される。
【００３１】
ここで、自分自身に関する情報であるプロフィール情報と、出会いの相手に求める条件である希望条件情報は、同一または対応する対比項目からなる。本実施形態では、対比項目が、「年齢」、「身長」、「出身地」、「職業」、「年収」、「趣味」、「自分のタイプ／好きなタイプ」、「自分の性格／好きな性格」、「好きな食べ物」、「好きなファッション」の１０個である場合を例示している。プロフィール情報及び希望条件情報は、それぞれプロフィール入力画面及び希望情報入力画面においてプルダウン表示される選択肢から選択することにより入力することができる。
【００３２】
また、それぞれの対比項目において、希望条件情報はプロフィール情報を含む広い範囲に設定される。例えば、プロフィール情報の「年齢」が、生年月日から算出される単一の数値である場合に、希望条件情報の「年齢」は「○歳〜△歳」という数値範囲とすることができる。また、プロフィール情報の「出身地」が市町村単位の選択肢から選択される場合に、希望条件情報の「出身地」は市町村単位の選択肢に加えて、都道府県単位の選択肢、中部地方・関西地方などの地域単位の選択肢から選択可能な設定とすることができる。また、希望条件情報の選択肢は、プロフィール情報と共通の選択肢に加えて、「希望なし」の選択肢を加えたものとすることができる。
【００３３】
なお、プロフィール情報と希望条件情報とで共通の選択肢は、「趣味」の選択肢としては、「読書」、「音楽鑑賞」、「映画鑑賞」、「料理」、「ショッピング」、「ドライブ」、「ツーリング（自転車）」、「ツーリング（自動車）」、「ランニング」、「テニス」、「バスケット」、「サッカー」、「フットサル」を例示することができる。「自分のタイプ／好きなタイプ」の選択肢としては、「自分からどんどん話しかける」、「自分から話しかける方ではない」、「人とすぐ仲良くなれる」、「おとなしい」、「地味」、「派手」、「話し好き」、「話を聞いている方が好き」を例示することができる。「自分の性格／好きな性格」の選択肢としては、「明るい」、「暗い」、「積極的」、「消極的」、「行動派」、「受動的」を例示することができる。「好きな食べ物」の選択肢としては、「洋食」、「和食」、「中華」、「イタリアン」、「フレンチ」、「野菜系」、「肉形」、「カレー」、「パン」、「ファストフード」を例示することができる。「好きなファッション」の選択肢としては、「原宿系」、「渋谷系」、「アメカジ」、「フォーマル」、「カジュアル」、「トラッド」、「ブランド」、「地味系」、「和装」を例示することができる。
【００３４】
管理サーバ１０は、携帯情報端末２０から送信された基本情報、性別情報、プロフィール情報、プロフィール写真の画像データ、及び希望条件情報を受信すると、これらの情報を携帯端末ＩＤと関連付けて、図３に示すような判定用情報データベース６３に記憶する。
【００３５】
希望条件情報を管理サーバ１０に送信した携帯情報端末２０では、マッチング処理が可能な状態となったことを示すマッチング画面が表示される。参加者は、この画面において「スタート」ボタンを選択し、街コンに参加する。なお、いったんプロフィール情報及び希望条件情報を管理サーバ１０に送信した後は、イベント用アプリケーションソフトを再起動し、イベント選択画面で同一のイベントを再度選択した場合は、プロフィール入力画面に遷移することなく、マッチング画面が表示される。
【００３６】
マッチング画面において「スタート」ボタンが選択されると、携帯情報端末２０では電波受信機による電波の受信の有無を判断する処理が開始され、電波受信機が電波を受信すると、受信した電波に含まれる発信機ＩＤを、自身の携帯端末ＩＤと共に管理サーバ１０に送信する。携帯情報端末２０の電波受信機は、イベント開催エリア内に固定された固定電波発信機３２，３３ａ，３３ｂからの電波を受信すると共に、他の参加者と近接したとき、その参加者が携帯している携帯電波発信機３１からの電波を受信する。また、本人が携帯している携帯電波発信機３１からの電波も受信する。
【００３７】
管理サーバ１０では、携帯端末ＩＤと発信機ＩＤとの組合せを受信すると（図４及び図５に示すフローチャートのステップＳ１においてＹＥＳ）、その携帯端末ＩＤに関連付けられた発信機ＩＤをＩＤデータベース６１から抽出し、受信した発信機ＩＤと対比することにより、受信した発信機ＩＤが自身が携帯している携帯電波発信機３１の発信機ＩＤと不一致であるかを確認する（ステップＳ２）、自身が携帯している携帯電波発信機３１の発信機ＩＤであった場合は（ステップＳ２においてＮＯ）、携帯端末ＩＤ及び発信機ＩＤの受信を待機する状態に戻る（ステップＳ１）。自身が携帯している携帯電波発信機３１の発信機ＩＤとは異なっていた場合は（ステップＳ２においてＹＥＳ）は、固定発信機データベース６２を参照し、受信した発信機ＩＤが固定電波発信機３２，３３ａ，３３ｂの発信機ＩＤと不一致であるかを確認する（ステップＳ３）。固定電波発信機３２，３３ａ，３３ｂの発信機ＩＤとは異なっていた場合は（ステップＳ３においてＹＥＳ）は、他の参加者の携帯電波発信機３１の発信機ＩＤであることになる。そこで、受信した携帯端末ＩＤと関連付けられた性別情報を判定用情報データベース６３から抽出すると共に（ステップＳ４）、受信した発信機ＩＤと関連付けられた携帯端末ＩＤをＩＤデータベース６１から抽出し、抽出した携帯端末ＩＤと関連付けられた性別情報を判定用情報データベース６３から抽出する（ステップＳ５）。そして、抽出された二つの性別情報が異性であるかを判断し（ステップＳ６）、同性である場合（ステップＳ６においてＮＯ）はマッチング処理を行わないため、携帯端末ＩＤ及び発信機ＩＤの受信を待機する状態に戻る（ステップＳ１）。
【００３８】
異性である場合（ステップＳ６においてＹＥＳ）は、本実施形態のマッチングシステム１でのマッチング処理を行う対象である。ここでは、説明の便宜のため、受信した携帯端末ＩＤ及び発信機ＩＤの組合せが、Ａさん（女性）が携帯する携帯情報端末２０の携帯端末ＩＤと、Ｂ君（男性）が携帯する携帯電波発信機３１の発信機ＩＤであるとして説明する。
【００３９】
管理サーバ１０は、判定結果データベース６４を参照し、異性の組合せである携帯端末ＩＤと発信機ＩＤとの組合せが、既にマッチング処理済みの組合せではないことを確認し（ステップＳ７）、既にマッチング処理がなされた結果が判定結果データベース６４に記憶されている組合せであった場合（ステップＳ７においてＮＯ）は、携帯端末ＩＤ及び発信機ＩＤの受信を待機する状態に戻る（ステップＳ１）。未だマッチング処理がなされていない組合せである場合は（ステップＳ７においてＹＥＳ）、受信した携帯端末ＩＤと関連付けられた希望条件情報（Ａさんが相手に希望する条件）を判定用情報データベース６３から抽出すると共に、受信した発信機ＩＤと関連付けられた携帯端末ＩＤをＩＤデータベース６１から抽出し、抽出した携帯端末ＩＤと関連付けられたプロフィール情報（Ｂ君のプロフィール情報）を判定用情報データベース６３から抽出する（ステップＳ８）。
【００４０】
次に、判定項目の番号であるＮを１とすると共に、希望条件情報を相手のプロフィール情報が満たした判定項目の数であるＭ１を０とし（ステップＳ９）、判定項目１の判定を行う。判定項目１（本実施形態では「年齢」）について、希望条件情報と相手のプロフィール情報が合致している（同一または希望条件情報にプロフィール情報が含まれる）か否かを判定し（ステップＳ１０）、合致していない場合（ステップＳ１０においてＮＯ）は、希望条件情報が「希望なし」であるか否かを確認する（ステップＳ１１）。希望条件情報と相手のプロフィール情報が合致している場合（ステップＳ１０においてＹＥＳ）または希望条件情報が「希望なし」である場合（ステップＳ１１においてＹＥＳ）は、希望条件情報を相手のプロフィール情報が満たしているため、Ｍ１に１を加え（ステップＳ１２）、判定項目の番号Ｎに１を加える（ステップＳ１３）。ステップＳ１１においてＮＯの場合は、Ｍ１を加算することなくステップＳ１３に進む。
【００４１】
判定項目数をｎとすると（本実施形態ではｎ＝１０）、Ｎがｎに至らないうちは（ステップＳ１４においてＮＯ）上記のステップＳ１０〜Ｓ１４を繰り返す。全ての判定項目について判定が終了したら（ステップＳ１４においてＹＥＳ）、携帯端末ＩＤと関連付けて、相手の発信機ＩＤと判定結果であるＭ１の値を、判定結果データベース６４に記憶する（ステップＳ１５）。ここでは、Ａさんが相手に希望する希望条件情報をＢ君のプロフィール情報が満たしている判定項目の数（ＡさんにとってＢ君が望ましい項目の数）がＭ１である。
【００４２】
二人の参加者のうち一方の参加者の携帯情報端末２０の電波受信機が、他方の参加者の携帯電波発信機３１から電波を受信したとき、二人の参加者は電波受信機が電波を受信できる距離に近接している。そのため、他方の参加者の携帯情報端末２０の電波受信機も、一方の参加者の携帯電波発信機３１から電波を受信しているはずである。ここでは、Ｂ君の携帯情報端末２０の電波受信機も、Ａさんの携帯電波発信機３１から電波を受信しているはずである。
【００４３】
そこで、管理サーバ１０は、このような逆の組合せである携帯端末ＩＤと発信機ＩＤの組合せを受信しているかどうかを確認する（ステップＳ１６）。受信していない場合は（ステップＳ１６においてＮＯ）、僅かな時間差が考えられるため所定時間の経過までは確認を繰り返し（ステップＳ１７においてＮＯ、ステップＳ１６）、受信しない状態で所定時間を経過すれば（ステップＳ１７においてＹＥＳ）、障害物など何らかの理由で受信できないと考えられるため、新たな携帯端末ＩＤ及び発信機ＩＤの受信を待機する状態に戻る（ステップＳ１）。
【００４４】
逆の組合せである携帯端末ＩＤと発信機ＩＤの組合せを受信している場合は（ステップＳ１６においてＹＥＳ）、受信した携帯端末ＩＤと関連付けられた希望条件情報（Ｂ君が相手に希望する条件）を判定用情報データベース６３から抽出すると共に、受信した発信機ＩＤと関連付けられた携帯端末ＩＤをＩＤデータベース６１から抽出し、抽出した携帯端末ＩＤと関連付けられたプロフィール情報（Ａさんのプロフィール情報）を判定用情報データベース６３から抽出する（ステップＳ１８）。その後は、ステップＳ９〜Ｓ１５と同様にｎ個の判定項目について判定を行い、判定結果を判定結果データベース６４に記憶する（ステップＳ１９〜Ｓ２５）。ここでは、Ｂ君が相手に希望する希望条件情報をＡさんのプロフィール情報が満たしている判定項目の数（Ｂ君にとってＡさんが望ましい項目の数）をＭ２としている。
【００４５】
本実施形態では、希望条件情報を相手のプロフィール情報が満たしている程度としてのマッチングレベルを、希望条件情報をプロフィール情報が満たした「判定項目の数（Ｍ１，Ｍ２）」としており、Ｍ１及びＭ２の双方が予め定めた所定値ｍ以上（例えば、３以上）であった場合に、マッチングレベルが高いとして参加者に判定結果を通知する。そこで、Ｍ１及びＭ２それぞれについてｍ以上であるかどうかを判定し（ステップＳ２６及びＳ２７）、少なくとも一方がｍ未満であった場合（ステップＳ２６についてＮＯ、またはステップＳ２６についてＹＥＳだがステップＳ２７においてＮＯ）は、判定結果の通知を行うことなく新たな携帯端末ＩＤ及び発信機ＩＤの受信を待機する状態に戻る（ステップＳ１）。
【００４６】
Ｍ１及びＭ２の双方がｍ以上であった場合は（ステップＳ２６においてＹＥＳ、及びステップＳ２７においてＹＥＳ）、まず女性側の携帯情報端末２０に、マッチングレベルが高いと判定された相手が近接して位置していることを知らせる通知である「マッチングした異性が近くにいます」をプッシュ送信する「第一通知」を行う（ステップＳ２８）。このとき、判定結果と相手の基本情報、プロフィール情報、及び相手のプロフィール写真の画像データも、一緒に送信する。判定結果は、希望条件情報をプロフィール情報が満たした判定項目数の全判定項目数に対する割合を百分率で表したものであり、ｎ＝１０の場合は「Ｍ１×１０％」及び「Ｍ２×１０％」である。第一通知を受けた女性側の携帯情報端末２０は、通知の内容を表示画面に表示する。
【００４７】
第一通知の表示画面には「相手へ通知する」ボタンと「相手へ通知しない」ボタンとがあり、第一通知の内容を確認した女性参加者が、何れかのボタンを選択すると、それぞれのボタンに対応した信号が管理サーバ１０に返信される。この返信信号を受信しないうちは（ステップＳ２９においてＮＯ）、管理サーバ１０は所定時間が経過するまで返信を待ち（ステップＳ３０においてＮＯ、ステップＳ２９）、返信信号を受信しない状態で所定時間を経過した場合（ステップＳ３０においてＹＥＳ）は、管理サーバ１０は新たな携帯端末ＩＤ及び発信機ＩＤの受信を待機する状態に戻る（ステップＳ１）。
【００４８】
管理サーバ１０が、「相手へ通知する」ボタンに対応する信号を受信した場合（ステップＳ２９においてＹＥＳ、ステップＳ３１においてＹＥＳ）、管理サーバ１０は男性側の携帯情報端末２０に、マッチングレベルが高いと判定された相手が近接して位置していることを知らせる通知である「マッチングした異性が近くにいます」を、判定結果と相手の基本情報、プロフィール情報、及びプロフィール写真の画像データと共にプッシュ送信する「第二通知」を行う（ステップＳ３２）。第二通知を受けた男性側の携帯情報端末２０は、通知の内容を表示画面に表示する。
【００４９】
第一通知を受けた女性、及び第二通知を受けた男性は、携帯情報端末２０の表示画面に表示された相手のプロフィール写真や氏名を、それぞれ近くにいる人の顔やネームプレートと見比べることにより、相手を特定し、実際に話しかけることができる。なお、参加者がネームプレートの代わりに参加者番号の付されたプレートやバッジを携帯する場合は、基本情報に参加者番号を含めると共に、参加者番号を第一通知や第二通知の通知内容に含めることとしても良い。また、携帯情報端末２０であるスマートフォンの電話番号を基本情報に含めると共に、電話番号を第一通知や第二通知の通知内容に含めることとしても良い。これにより、その電話番号に電話をかけ、相手のスマートフォンの呼出し音を鳴らすことによって、相手をはっきりと特定することができる。
【００５０】
一方、「相手へ通知しない」ボタンに対応する信号を管理サーバ１０が受信した場合（ステップＳ２９においてＹＥＳ、ステップＳ３１においてＮＯ）、管理サーバ１０は男性側の携帯情報端末２０に第二通知をすることなく、新たな携帯端末ＩＤ及び発信機ＩＤの受信を待機する状態に戻る（ステップＳ１）。
【００５１】
なお、第一通知または第二通知を受けた携帯情報端末２０は、通知の情報を記憶装置に記憶する。その後は、一覧表示を要求する使用者の入力に基づき、その携帯情報端末２０が通知を受けた全ての判定結果を、相手の氏名及びプロフィール写真と共に表示画面に表示させることができる。なお、女性側の携帯情報端末２０は、「相手側へ通知する」ボタンを選択した場合と、「相手側へ通知しない」ボタンを選択した場合とを区別できる情報を第一通知の内容に付加して記憶装置に記憶し、その情報と共に判定結果を表示画面に表示させることができる。
【００５２】
上記のように、本実施形態のマッチングシステム１では、イベントの開始時または開始に先立ち、自身のプロフィール情報と相手に望む希望条件情報を管理サーバ１０に送信しておくだけで、その後は参加者が能動的に管理サーバ１０にアクセスすることを要さず、自分の近くにいる参加者とのマッチング処理が行われ、判定結果が通知される。これにより、実際に顔を合わせて会話を交わす前に、その人が自分の希望条件情報に合致する人であるかの情報や、マッチングの度合いがどの程度であるかの情報を、得ることができる。従って、本実施形態のマッチングシステム１によれば、多数の人が参加しているイベントの開催エリアにおいて、限られた時間内に、自分の望む条件に合致する人に出会うことが容易となる。
【００５３】
＜宝探しゲームにおいてポイントを発行する処理＞
管理サーバ１０が、携帯情報端末２０からその携帯端末ＩＤと共に受信した発信機ＩＤについて、固定発信機データベース６２に記憶されている固定電波発信機３２，３３ａ、３３ｂの発信機ＩＤであった場合（ステップＳ３においてＮＯ）、図６に示すフローチャートのステップＳ４１に進み、宝探しゲームの宝物と共に配置される固定電波発信機３３ａ，３３ｂの発信機ＩＤであるかどうかが確認される。固定電波発信機３３ａ，３３ｂの発信機ＩＤであった場合（ステップＳ４１においてＹＥＳ）は、近い距離（本実施形態では約１ｍ）内の電波受信機で受信できる強度の電波を発信する固定電波発信機３３ｂの発信機ＩＤであるかが確認される（ステップＳ４２）。そうでなかった場合（ステップＳ４２においてＮＯ）は、比較的遠い距離（本実施形態では約１０ｍ）内の電波受信機で受信できる強度の電波を発信する固定電波発信機３３ａの発信機ＩＤである。つまり、携帯端末ＩＤから特定される携帯情報端末２０を携帯している参加者は、宝物から半径約１０ｍの範囲内に位置している。そこで、管理サーバ１０は、携帯情報端末２０に「近くにお宝があります」と、宝物の近くにいることを知らせるメッセージを送信する（ステップＳ４３）。このメッセージを受けた参加者は、宝物を発見すべく、注意深く周囲を観察しながら移動する。
【００５４】
近い距離の電波受信機で受信できる強度の電波を発信する固定電波発信機３３ｂの発信機ＩＤであった場合（ステップＳ４２においてＹＥＳ）は、その参加者は宝物のすぐ近くにいるため、宝物を発見したと判断して参加者にクーポンを発行する。クーポンの発行に当たり、携帯端末ＩＤ及び発信機ＩＤを管理サーバ１０が受信した時刻を、携帯端末ＩＤ及び発信機ＩＤと関連付けて、固定点時刻データベース６５に記録する（ステップＳ４４）。この固定点時刻データベース６５は、その時刻に、発信機ＩＤで特定される固定電波発信機３３ｂの近くに、携帯端末ＩＤで特定される携帯情報端末２０（または参加者）が存在したという情報のデータベースである。そして、その参加者の携帯情報端末２０にクーポンを発行したことを知らせるメッセージを通知すると共に引換券データを送信する（ステップＳ４５）、ステップＳ４３及びステップＳ４５の後は、それぞれ新たな携帯端末ＩＤ及び発信機ＩＤの受信を待機する状態（ステップＳ１）に戻る。
【００５５】
このように、固定電波発信機を宝探しゲームに使用することにより、マッチング処理が行われる街コンを、より娯楽性の高いイベントにすることができる。
【００５６】
＜判定後の経過を把握する処理＞
管理サーバ１０は、予め定めた時間ｔ（例えば、１分）の経過ごとに（図７のフローチャートのステップＳ５１においてＹＥＳ）、固定点時刻データベース６５を確認する。固定点時刻データベース６５には、上記のようにクーポンを発行した時刻が発行先の携帯端末ＩＤと関連付けられて記憶されている、そこで、時間ｔの間に固定点時刻データベース６５に新たにクーポンの発行が登録された携帯端末ＩＤの中に、マッチングレベル（Ｍ１及びＭ２）がｍ以上と判定された参加者の組合せがあるかどうかを、判断する（ステップＳ５２）。より具体的には、新たにクーポンの発行が登録された携帯端末ＩＤについて、判定結果データベース６４に記憶されているかどうかを確認し、記憶されている場合は、マッチング相手の発信機ＩＤを判定結果データベース６４から抽出する。更に、抽出された発信機ＩＤと関連付けられた携帯端末ＩＤをＩＤデータベース６１から抽出し、抽出された携帯端末ＩＤが、時間ｔの間に固定点時刻データベース６５に新たにクーポンの発行が登録された他の携帯端末ＩＤの中に存在するか否かを判断する。
【００５７】
存在する場合（ステップＳ５２においてＹＥＳ）は、マッチング処理によってマッチングレベルが高いと判定され、その通知を受けた二人の参加者が、その後一緒に宝探しゲームに参加していると考えることができる。換言すれば、マッチング処理における判定結果を有効に活用し、実際に顔を合わせ会話を交わすことにより、良好な人間関係を築きつつあると考えることができる。従って、マッチング処理による判定結果を参加者に通知するだけでは、その判定結果が実際に活かされたのかどうかが把握できないところ、本実施形態では判定後に判定結果が活用されたのかどうかの経過を、管理者側で把握することができる。
【００５８】
本実施形態では、ステップＳ５２においてＹＥＳと判断されると、この二人の参加者の携帯端末ＩＤを関連付けて経過良好データベース６６に記憶し（ステップＳ５３）、この二人の携帯情報端末２０にプレゼントが贈られることを知らせるメッセージを通知すると共に、引換券データを送信する（ステップＳ５４）。ステップＳ５２においてＮＯの場合は、次の時間ｔの経過の計測（ステップＳ３）に移行する。
【００５９】
＜参加者の現在位置を案内する処理＞
管理サーバ１０が、携帯情報端末２０からその携帯端末ＩＤと共に受信した発信機ＩＤが、固定電波発信機の発信機ＩＤではあるが、宝物と共に配置される固定電波発信機３３ａ，３３ｂの発信機ＩＤではない場合（図６のフローチャートのステップＳ４１においてＮＯ）、その発信機ＩＤは参加者の現在位置の基準となる固定電波発信機３２の発信機ＩＤである。そこで、管理サーバ１０は、携帯端末ＩＤと発信機ＩＤとを関連付けて、時刻と共に位置情報データベース６７に記録し（ステップＳ４６）、その後、新たな携帯端末ＩＤ及び発信機ＩＤの受信を待機する状態に戻る（ステップＳ１）。
【００６０】
表示管理装置４２は、上記のように実世界の座標を固定表示装置４１の画面における二次元座標に対応させて、イベントの開催エリアを模した地図を固定表示装置４１に表示させている。また、予め管理サーバ１０にアクセスして固定発信機データベース６２から固定電波発信機３２の発信機ＩＤとその座標に関する情報を取得し、地図を表示した画面における固定電波発信機３２の座標を特定している。そして、表示管理装置４２は、所定時間間隔で管理サーバ１０にアクセスして位置情報データベース６７を読み込み、イベントの開催エリアを模した地図において、発信機ＩＤで特定される固定電波発信機３２の座標の近傍に（本実施形態では、半径約１０ｍの範囲内）に、携帯情報端末２０を示すアイコンを表示する。
【００６１】
これにより、イベントの開催エリアを模した地図上における携帯情報端末２０の位置が、所定時間間隔で更新されるため、参加者がイベントの開催エリア内をどのように移動しているかを把握することができる。街コンでは、イベントの参加者ではない人もイベントの開催エリア内に数多く存在する。そのため、マッチング処理における判定結果がなかなか通知されない場合には、自分の望む条件に合致する人が近くにいないためなのか、そもそもイベントの参加者自体が自分の近くにいないのかを判断しにくい。このような場合であっても、固定表示装置４１の画面に表示された地図を見ることにより、イベントの参加者が多く集まっている場所を知ることができるため、多くの相手とのマッチング処理を求めてその場所に移動することできる。
【００６２】
なお、位置情報データベース６７において、携帯端末ＩＤに性別情報を関連付けて記憶させておくこともできる。このようにすることにより、固定表示装置４１の画面に表示される地図において、男性の携帯情報端末２０のアイコンと女性の携帯情報端末２０のアイコンとで色や形状を異ならせて表示することができ、イベントの開催エリアにおける男性の参加者と女性の参加者の分布を、一見して把握することが容易となる。
【００６３】
以上、本発明について好適な実施形態を挙げて説明したが、本発明は上記の実施形態に限定されるものではなく、本発明の要旨を逸脱しない範囲において、種々の改良及び設計の変更が可能である。
【００６４】
例えば、上記では、携帯情報端末２０の電波受信機が受信した電波に含まれる発信機ＩＤが、自身が携帯する携帯電波発信機３１の発信機ＩＤであるか否かの判断を、管理サーバで行う場合を例示した。これに対し、携帯情報端末に自身が携帯する携帯電波発信機３１の発信機ＩＤを予め記憶させておくことにより、携帯情報端末２０の電波受信機が受信した電波に含まれる発信機ＩＤが、自身が携帯する携帯電波発信機３１の発信機ＩＤであるか否かの判断を、携帯情報端末２０にインストールされたイベント用アプリケーションソフト側で行ってもよい。
【００６５】
また、上記の実施形態では、通信ネットワーク９０がインターネットである場合を例示した。これに限定されず、例えば、イベントが、異業種の人々が集合するパーティなど、イベントの開催エリアが屋内である場合は、無線ＬＡＮを通信ネットワークとして使用してもよい。
【００６６】
更に、上記の実施形態では、マッチングレベルＭ１及びＭ２の双方が、予め定めた値以上の場合に、判定結果を携帯情報端末２０に通知する場合を例示した。これに限定されず、マッチングレベルＭ１及びＭ２の一方が予め定めた値以上の場合にも、判定結果を携帯情報端末２０に通知することができる。ビジネスパートナーを探すイベントなどでは、相手が自分の望む条件に合致していなくても、自分が相手の望む条件に合致しているのであれば、実際に会って会話をしてみたいと考える人もいるからである。
【００６７】
加えて、上記では、マッチングレベルが、希望条件情報をプロフィール情報が満たしている判定項目の数である場合を例示した。これに限定されず、例えば、判定項目ごとに重み係数を設定してマッチングレベルを算出することもできる。
【００６８】
また、上記では、相手に望む希望条件情報として、プラスの情報を選択肢とする場合を例示したが、相手に望む条件としてマイナスの情報（その条件を満たしていないことを相手に望む）を選択肢とすることができる。この場合、プラスの情報の選択肢には正の係数を、マイナスの情報には負の係数を設定することにより、マッチングレベルを算出することができる。
【符号の説明】
【００６９】
１  マッチングシステム
１０  管理サーバ
２０  携帯情報端末
３０  電波発信機
３１  携帯電波発信機（電波発信機）
３２  固定電波発信機（電波発信機）
３３ａ  固定電波発信機（電波発信機）
３３ｂ  固定電波発信機（電波発信機）
４１  固定表示装置
４２  表示管理装置
６４  判定結果データベース
６５  固定点時刻データベース
９０  通信ネットワーク
Ｍ１，Ｍ２  マッチングレベル
【図１】
2016076078.tif 000003
【図２】
2016076078.tif 000004
【図３】
2016076078.tif 000005
【図４】
2016076078.tif 000006
【図５】
2016076078.tif 000007
【図６】
2016076078.tif 000008
【図７】
2016076078.tif 000009